(57)【要約】【課題】軽くて薄く、平整化した発光ダイオードバックライトモジュールを提供する。【解決手段】複数個の発光ダイオードの発光ユニット１２を嵌め置く回路基板１１と、光をガイドすることができる透明材料で製作され、側面上には複数個の置き穴１３１が凹設されていて、各置き穴１３１を個別に投影して、回路基板１１上に置かれている発光ダイオードの発光ユニット１２に対正して、発光ダイオードの発光ユニット１２を置き穴の中に置き、並びに側面を回路基板１１に平らに貼り付けさせて、平整状の発光ダイオードバックライトモジュール１００を組成する被し板１３とを備える。【選択図】図１
0003124502.tif 000002
【実用新案登録請求の範囲】
【請求項１】
回路基板と、被し板とを備えるディスプレイの発光ダイオードバックライトモジュールであって、
該回路基板は、複数個の発光ダイオードの発光ユニットを該回路基板上に嵌め置かれ、
該被し板は、光をガイド可能な透明材料で製作され、該被し板の側面上には複数個の置き穴が凹設され、各該置き穴を個別に投影して、回路基板上に置かれている発光ダイオードの発光ユニットに対正して、発光ダイオードの発光ユニットが置き穴の中に置かれ、該被し板の該側面が該回路基板に平らに貼り付けられ、平整状のバックライトモジュールが形成されていることを特徴とするディスプレイの発光ダイオードバックライトモジュール。
【請求項２】
該被し板の外囲は、反光体に框囲されていることを特徴とする請求項１に記載のディスプレイの発光ダイオードバックライトモジュール。
【請求項３】
該回路基板上に取り付けしている各該発光ダイオードの発光ユニットは、該回路基板の中心位置から外に向かって矩形の多層状の拡散で配置し、その配置方式は、最内側の一圏は第１圏と定義され、前記発光ダイオードの発光ユニットの数量は一つであり、第１圏の外囲に近寄って囲んでいる一圏は第２圏と定義され、第（ｎ−１）圏の外囲に近寄って囲んでいる一圏は第ｎ圏と定義され、毎一圏は皆正方形で等距離に排列し、任意の一圏の発光ダイオードの発光ユニットの数量は４（ｎ−１）個（その中のｎは圏数で、ｎは自然数に属し、、尚且つｎ≧２）であることを特徴とする請求項１に記載のディスプレイの発光ダイオードバックライトモジュール。
【請求項４】
該回路基板上に取り付けた各該発光ダイオードの発光ユニットは、各別に複数個の同じ正三角形の三つの頂点の排列方式の分布にもとづいて設置し、各三角形と別の一つの三角形とは一つの共用の頂点があることを特徴とする請求項１に記載のディスプレイの発光ダイオードバックライトモジュール。
【請求項５】
回路基板と、被し板とを備えるディスプレイの発光ダイオードバックライトモジュールであって、
該回路基板は、複数個の発光ダイオードの発光ユニットを該回路基板上に嵌め置き、
該被し板は、複数の置き穴が貫通されていて、対応的に各別に回路基板上に置かれている発光ダイオードの発光ユニットを中に置くことを特徴とするディスプレイの発光ダイオードバックライトモジュール。
【請求項６】
該被し板は、一枚の光ガイド板の一側に貼り寄せられていて、尚且つ該光ガイド板の外囲は反光体に框囲されていることを特徴とする請求項５に記載のディスプレイの発光ダイオードバックライトモジュール。
【請求項７】
該被し板の厚さを、該発光ダイオードの発光ユニットが回路基板の高さを突出した厚さに等しくして、該被し板を対応的に回路基板上に貼り付けた時に、該発光ダイオードの発光ユニットの光源射出面は、該被し板の頂面と同じ高さで、平らになることを特徴とする請求項５に記載のディスプレイの発光ダイオードバックライトモジュール。
【請求項８】
該被し板は、散熱材料の板材で製作されていることを特徴とする請求項５に記載のディスプレイの発光ダイオードバックライトモジュール。
【請求項９】
該回路基板上に取り付けしている各該発光ダイオードの発光ユニットは、該回路基板の中心位置から外に向かって矩形の多層状の拡散で配置し、その配置方式は、最内側の一圏は第１圏と定義され、前記発光ダイオードの発光ユニットの数量は一つであり、第１圏の外囲に近寄って囲んでいる一圏は第２圏と定義され、第（ｎ−１）圏の外囲に近寄って囲んでいる一圏は第ｎ圏と定義され、毎一圏は皆正方形で等距離に排列し、任意の一圏の発光ダイオードの発光ユニットの数量は４（ｎ−１）個（その中のｎは圏数で、ｎは自然数に属し、尚且つｎ≧２）であることを特徴とする請求項５に記載のディスプレイの発光ダイオードバックライトモジュール。
【請求項１０】
該回路基板上に取り付けた各該発光ダイオードの発光ユニットは、各別に複数個の同じ三角形の三つの頂点の排列方式の分布にもとづいて設置し、各三角形と別の一つの三角形とは一つの共用の頂点があることを特徴とする請求項５に記載のディスプレイの発光ダイオードバックライトモジュール。
【考案の詳細な説明】
【技術分野】
【０００１】
本考案はディスプレイの発光ダイオード（Light Emitting Diode、ＬＥＤと簡称する）バックライトモジュールに関し、特に回路基板上に複数の発光ダイオード発光ユニットを封装し、並びに該発光ダイオードバックライトモジュールを平整化された単一モジュールに形成させるのに関する。
【背景技術】
【０００２】
現在液晶ディスプレイに応用されているバックライトモジュールはダイレクトタイプバックライトモジュール（Direct Type Backlight）であって、図７に示すように、一般では一つのランプボックス５１を備える。該ランプボックス５１は上が広くて下が狭い梯子形体になっている、該ランプボックス５１の中に発光ユニット５２（例えば冷陰極管（ＣＣＦＬ）或いは発光ダイオードの発光ユニット）を取り付け、次にランプボックス５１の頂端に拡散板５３を跨って取り付けして、発光ユニット５２が生じた光束を拡散板５３を経由して拡散させ、平均にディスプレイのガラス層５４の上に投影させることができる。
【０００３】
上記の液晶ディスプレイのバックライトモジュールは、必ず上が広く下が狭いランプボックス５１に各発光ユニット５２を取り付けて、各該発光ユニット５２に光束を発生させ、梯子形体になっているランプボックス５１のガイドを経由して拡散板５３に向かって発射する。しかし、この梯子形状のランプボックス５１は、その体積は極めて大きくて、重いので現在のディスプレイの軽くて薄い設計のニーズに合致しない欠点がある。
【考案の開示】
【考案が解決しようとする課題】
【０００４】
従来の液晶ディスプレイのバックライトモジュールは、その使用しているランプボックスの体積が大きい欠点がある。
【課題を解決するための手段】
【０００５】
本考案は上記の点を解決するためになされたものであり、回路基板と、被し板とを備えるディスプレイの発光ダイオードバックライトモジュールの構成で上記の課題を解決することができる。
【考案を実施するための最良の形態】
【０００６】
以下、図面に従って本考案の一実施例を説明する。
図１から５図をご覧下さい。本考案の一実施例によるディスプレイの発光ダイオードバックライトモジュール１００は、回路基板１１と、被し板１３とを備える。回路基板１１は、複数個の発光ダイオードの発光ユニット１２を該回路基板１１上に嵌めこんでいる。被し板１３、は、その一つの側面上に、複数個の置き穴１３１が凹設されていて、各該置き穴１３１を個別に投影して回路基板１１上に置かれている一つの発光ダイオードの発光ユニットに対正して、発光ダイオードの発光ユニット１２を中に置き込む。また、該被し板１３の該側の側面を該回路基板１１上に平らに貼り付けて平整状の発光ダイオードバックライトモジュール１００を組成する。上記の被し板１３は、透明の光ガイド板或いは、散熱材料の板材で製作されているのもを指す。
【０００７】
本実施例の掲示するディスプレイの発光ダイオードバックライトモジュール１００は、応用上では、図２に示すようにすることができる。それは該被し板１３を一枚の拡散板２１の一側貼り寄せて、発光ダイオードの発光ユニット１２が発射した光を、該被し板１３を透過した後に拡散板２１の拡散作用を経由して平均に一つのガラス層２２上に拡散させる。当然、該被し板１３とガラス層２２との間は、複数層の拡散板２１を挟むことができる。或いは両拡散板２１の間に増光板２３を挟むことができる。このように、本実施例の掲示したディスプレイの発光ダイオードバックライトモジュール１００は、その応用範囲を自限しない。
【０００８】
本実施例のディスプレイの発光ダイオードバックライトモジュール１００の回路基板１１の上に被せた被し板１３は、透明材料で製作した光ガイド板で、発光ダイオードの発光ユニット１２が射出した光線を外に向けて導出することができる。或いは、図６に示すように、該被し板１３ａが散熱板材で製作されていて、該被し板１３ａ上に複数個の置き穴１３１ａが貫通されていて、対応的に回路基板１１上に置かれている発光ダイオードの発光ユニット１２を中に置き込んで、並びに該被し板１３ａの厚さを、該発光ダイオードの発光ユニット１２が回路基板１１の高さを突出する高さに等しくして、該被し板１３ａを対応的に回路基板１１上に貼り付けた時に、該発光ダイオードの発光ユニット１２の光源の射出面が、該被し板１３ａの頂面と同じ高さで、平らになるようにしてもよい。これは、本実施例のディスプレイの発光ダイオードバックライトモジュール１００を一つの平面状にさせる外に、該発光ダイオードの発光ユニット１２の光線の射出角度を、被し板１３ａの阻碍を受けないようにして、大きい角度にして、外に向けて拡散して射出し、光線の照射面積を増進させることもできる。上記の一体に封装した被し板１３ａ、各発光ダイオードの発光ユニット１２、及び回路基板１１は、応用上では、一枚のディスプレイのガラス層２２の一側に置くことができ、且つ該ガラス層２２との間に光ガイド板１３’、拡散板２１或いは増光板２３を挟み置くことができる。
【０００９】
本実施例のディスプレイの発光ダイオードバックライトモジュール１００は、図４に示すように、その中の該回路基板１１上に取り付けた各該発光ダイオードの発光ユニット１２が、該回路基板１１の中心位置から外に向かって矩形の多層状拡散の配置（図４の仮想線で指示した各層排列位置参照）にすることができる。その配置方式は下記のように、最内側の一圏は第１圏と定義され、その発光ダイオードの発光ユニット１２の数量は一つである。第１圏の外囲に近寄って囲んでいる一圏は第２圏と定義され、第２圏の外囲に近寄って囲んでいる一圏は第３圏と定義され、第３圏の外囲に近寄って囲んでいる一圏は第４圏と定義される。このように、第（ｎ−１）圏の外囲に近寄って囲んでいる一圏は第ｎ圏と定義され、毎一圏は皆正方形の等距離で排列し、各圏の発光ダイオードの発光ユニット１２の数量は、順に、４、８、１２、１６、・・・、４（ｎ−１）個（その中のｎは圏数で、ｎは自然数に属し、尚且つｎ≧２である。）である。或いは、図５に示すように、その中の回路基板１１上に取り付けた各該発光ダイオードの発光ユニット１２は、個別に複数相等の正三角形（仮想線で示す如し）の三つの頂点の排列方式にもとづいて分布して設置し、各三角形と別の一つの各三角形とは一つの共用の頂点がある。このように、本実施例では各該発光ダイオードの発光ユニット１２の排列方式を自限しない。
【００１０】
図３に示すように、本実施例のディスプレイの発光ダイオードバックライトモジュール１００は、一歩進んで該被し板１３の外囲を一つの反光体１４で框囲んで、発光ダイオードの発光ユニット１２の側辺に向かって散射する光線を反射し、これによって発光ダイオードの発光ユニット１２が発生した光線を集中して透明の被し板１３（即ち光ガイド板）から外に向かって射出させてもよい。
【００１１】
上記のように本実施例の発光ダイオードバックライトモジュール１００は、習知ダイレクトタイプバックライトモジュールの構造と違って、ランプ被しユニットの需要がなく、又、モジュール全体の構造を更に軽くて薄く、小さくする外に、その平整化した発光ダイオードバックライトモジュール１００が更に容易に応用と取り付けできるので、新穎性及び実用性を現す。
本考案の構想、形状を一部変更した後に生じた効果、作用が本明細書と図面を含む範囲である場合はすべて本考案の範囲に属することは当然である。
【図面の簡単な説明】
【００１２】
【図１】本考案の一実施例による発光ダイオードバックライトモジュールの構造図である。
【図２】本考案の一実施例による発光ダイオードバックライトモジュールをディスプレイに取り付けした状態を示す模式図である。
【図３】本考案の一実施例による発光ダイオードバックライトモジュールの被し板の外囲を反光体で框囲んだ状態を示す模式図である。
【図４】本考案の一実施例による発光ダイオードバックライトモジュールにおいて各発光ダイオードの発光ユニットが回路基板に分布した配置を示す模式図である。
【図５】本考案の一実施例による発光ダイオードバックライトモジュールにおいて各発光ダイオードの発光ユニットが回路基板に分布した別の配置を示す模式図である。
【図６】本考案の一実施例による発光ダイオードバックライトモジュールをディスプレイに取り付けた別の状態を示す模式図である。
【図７】周知のダイレクトタイプバックライトモジュールの構造を示す模式図である。
【符号の説明】
【００１３】
１００  発光ダイオードバックライトモジュール、１１  回路基板、１２  発光ダイオードの発光ユニット、１３、１３ａ  被し板、１３’  光ガイド板、１３１、１３１ａ  置き穴、１４  反光体、２１  拡散板、２２  ガラス層、２３  増光板
【図１】
0003124502.tif 000003
【図２】
0003124502.tif 000004
【図３】
0003124502.tif 000005
【図４】
0003124502.tif 000006
【図５】
0003124502.tif 000007
【図６】
0003124502.tif 000008
【図７】
0003124502.tif 000009